(57)【要約】【課題】本体１のメンテナンス時に、制御ユニット１１のメンテナンスが容易にできるとともに、本体が大きくならないようにして、本体設置に支障となることがない換気装置を提供することを目的とする。【解決手段】入力電源用の電源端子８を含む制御回路基板９をケース１０で覆って形成した制御ユニット１１が、天井に設けた点検口の上方に設置された本体１に下面から挿入して配設され、制御回路基板９と送風機４のモーター６とを係脱自在に導通接続するコネクター１２Ａを備えていることにより、制御ユニット１１は点検口を開けて着脱しメンテナンスを容易に行うことができ、また、高さの低い天井裏で、制御回路基板９をユニット化して着脱自在としても、本体１設置に支障となることがなくなる。【選択図】図１
2010112621.tif 000002
【特許請求の範囲】
【請求項１】
天井裏に設置され、内部に送風機を設け側面にダクトを介して室内に連通する吸込口およびダクトを介して室外に連通する排気口を有した本体を備え、入力電源用の電源端子を含む制御回路基板をケースで覆って形成した制御ユニットを前記本体に着脱自在に装着する換気装置であって、前記制御ユニットは、天井に設けた点検口の上方に設置された本体に下面から挿入して配設され、前記制御回路基板と前記送風機のモーターとを係脱自在に導通接続するコネクターを備えたことを特徴とする換気装置。
【請求項２】
制御ユニットに、室内から運転を制御するリモコンと導通接続するコネクターを設けた請求項１記載の換気装置。
【請求項３】
制御ユニットの本体内挿入時の向きを、制御回路基板の素子実装面の長辺側と素子の高さ側で決まるケースの面を前面側として挿入する向きとした請求項１または２記載の換気装置。
【請求項４】
送風機をファンケーシングの吸気口が垂直方向を向くように水平に配設し、制御ユニットを本体の側面と前記ファンケーシングの舌片とで形成された空間に挿入して装着する請求項３記載の換気装置。
【請求項５】
制御ユニットのケースの本体内挿入時における上端角部にＣ面を形成した請求項３または４記載の換気装置。
【請求項６】
制御ユニットのケースの下面側に、前記制御ユニットを本体下面に下方から固定する固定部を設けるとともに、電源端子およびコネクターの接続開口を位置させた請求項１〜５のいずれかに記載の換気装置。
【請求項７】
コネクターをケース内に、その接続開口部が前記ケース外に突出するように納めて固定した請求項６載の換気装置。
【請求項８】
コネクターおよび電源端子への接続方向を下から上へ向かう方向とした請求項７載の換気装置。
【請求項９】
コネクターへの接続方向を下から斜め上方への方向とした請求項８記載の換気装置。
【請求項１０】
制御ユニットのケースの下面側に設けた固定部は、前記ケースに一体に設けられ本体の下方にねじ止めする固定ねじが挿通するだるま形状の固定用穴を有した固定片からなる請求項６記載の換気装置。
【請求項１１】
制御ユニットを本体に挿入するときにケースと本体が係合する突部を設けた請求項１０記載の換気装置。
【請求項１２】
コネクターのケース外に突出する外部突出部と前記ケースの下面との間にリブを設けた請求項７記載の換気装置。
【請求項１３】
電源端子を速結端子とし、その接続開口を含めてケース内に配設した請求項６記載の換気装置。
【請求項１４】
ケース下面の速結端子への電源電線挿入口から前記速結端子の接続開口に向けて電源の異極間の仕切り用リブを設けた請求項１３に記載の換気装置。
【請求項１５】
仕切り用リブを電源電線挿入口の下方に延設した請求項１４に記載の換気装置。
【請求項１６】
制御ユニットのケースは、本体への装着時に上側となるケース上側と下側となるケース下側に分割され、ケース上側をケース下側の外側にオーバーラップさせて嵌合する構成とした請求項１２〜１５のいずれかに記載の換気装置。
【請求項１７】
制御ユニットのケースを難燃樹脂材料にて形成した請求項１６記載の換気装置。
【発明の詳細な説明】
【技術分野】
【０００１】
本発明は、天井裏へ設置され、内部に送風機を設けた換気装置に関するものである。
【背景技術】
【０００２】
従来この種の換気装置として、送風機の運転を制御する制御用電気部品を収納した電装ボックスを本体に取り付けたものが知られている（例えば、特許文献１参照）。
【特許文献１】特開２００５−１６８２３号公報
【発明の開示】
【発明が解決しようとする課題】
【０００３】
特許文献１に記載のものでは、電装ボックスが換気ユニット本体Ｋの一側面へ取付けられているため、本体全体の平面視した大きさが前記一側面の外方向へ大きくなるとともに、本体の設置状態において、下方に設けた点検口から電装ボックスの交換や内部の制御用電気部品の交換が困難であるという課題がある。
【０００４】
本発明は、このような従来の課題を解決するものであり、換気装置本体のメンテナンス時において、制御用電気部品を収納した電装ボックスのメンテナンスが容易にできるとともに、本体設置に支障となることがない換気装置を提供することを目的とする。
【課題を解決するための手段】
【０００５】
本発明の換気装置は、上記目的を達成するために、天井裏に設置され、内部に送風機を設け側面にダクトを介して室内に連通する吸込口およびダクトを介して室外に連通する排気口を有した本体を備え、入力電源用の電源端子を含む制御回路基板をケースで覆って形成した制御ユニットを前記本体に着脱自在に装着する換気装置であって、前記制御ユニットは、天井に設けた点検口の上方に設置された本体に下面から挿入して配設され、前記制御回路基板と前記送風機のモーターとを係脱自在に導通接続するコネクターを備えたものである。
【０００６】
また、他の手段は、制御ユニットに、室内から運転を制御するリモコンと導通接続するコネクターを設けたものである。
【０００７】
また、他の手段は、制御ユニットの本体内挿入時の向きを、制御回路基板の素子実装面の長辺側と素子の高さ側で決まるケースの面を前面側として挿入する向きとしたものである。
【０００８】
また、他の手段は、送風機をファンケーシングの吸気口が垂直方向を向くように水平に配設し、制御ユニットを本体の側面と前記ファンケーシングの舌片とで形成された空間に挿入して装着するものである。
【０００９】
また、他の手段は、制御ユニットのケースの本体内挿入時における上端角部にＣ面を形成したものである。
【００１０】
また、他の手段は、制御ユニットのケースの下面側に、前記制御ユニットを本体下面に下方から固定する固定部を設けるとともに、電源端子およびコネクターの接続開口を位置させたものである。
【００１１】
また、他の手段は、コネクターをケース内に、その接続開口部が前記ケース外に突出するように納めて固定したものである。
【００１２】
また、他の手段は、コネクターおよび電源端子への接続方向を下から上へ向かう方向としたものである。
【００１３】
また、他の手段は、コネクターへの接続方向を下から斜め上方への方向としたものである。
【００１４】
また、他の手段は、制御ユニットのケースの下面側に設けた固定部は、前記ケースに一体に設けられ本体の下方にねじ止めする固定ねじが挿通するだるま形状の固定用穴を有した固定片からなるものである。
【００１５】
また、他の手段は、制御ユニットを本体に挿入するときにケースと本体が係合する突部を設けたものである。
【００１６】
また、他の手段は、コネクターのケース外に突出する外部突出部と前記ケースの下面との間にリブを設けたものである。
【００１７】
また、他の手段は、電源端子を速結端子とし、その接続開口を含めてケース内に配設したものである。
【００１８】
また、他の手段は、ケース下面の速結端子への電源電線挿入口から前記速結端子の接続開口に向けて電源の異極間の仕切り用リブを設けたものである。
【００１９】
また、他の手段は、仕切り用リブを電源電線挿入口の下方に延設したものである。
【００２０】
また、他の手段は、制御ユニットのケースは、本体への装着時に上側となるケース上側と下側となるケース下側に分割され、ケース上側をケース下側の外側にオーバーラップさせて嵌合する構成としたものである。
【００２１】
また、他の手段は、制御ユニットのケースを難燃樹脂材料にて形成したものである。
【発明の効果】
【００２２】
本発明によれば、制御回路基板をケースで覆って形成した制御ユニットが、天井に設けた点検口の上方に設置された本体に下面から挿入して配設され、制御回路基板と送風機のモーターとを係脱自在に導通接続するコネクターを備えたことにより、制御ユニットは点検口を開けて容易に着脱できるので、メンテナンスを容易に行うことができ、また、制御ユニットは本体の下面から挿入されて装着されているので、高さの低い天井裏で、制御回路基板をユニット化して着脱自在としても、本体設置に支障となることがないという効果のある換気装置を提供することができる。
【００２３】
また、制御ユニットに、室内から運転を制御するリモコンと導通接続するコネクターを設けたことにより、リモコンを室内に設置した場合も、メンテナンスを容易に行うことができる。
【００２４】
また、制御ユニットの本体内挿入時の向きを、制御回路基板の素子実装面の長辺側と素子の高さ側で決まるケースの面を前面側として挿入する向きとしたことにより、制御ユニットを内部に装着するために、本体の大きさをとくに大きくする必要がない。
【００２５】
また、送風機をファンケーシングの吸気口が垂直方向を向くように水平に配設し、制御ユニットを本体の側面と前記ファンケーシングの舌片とで形成された空間に挿入して装着することにより、制御ユニットの本体内への挿入装着において、本体内の空間を有効利用することができ、また、ケースの最小面積の面を前面にして挿入するので、挿入が容易になる。
【００２６】
また、制御ユニットのケースの本体内挿入時における上端角部にＣ面を形成したことにより、制御ユニットの本体内への挿入がしやすくなり、メンテナンスがより容易となる。
【００２７】
また、制御ユニットのケースの下面側に、前記制御ユニットを本体下面に下方から固定する固定部を設けるとともに、電源端子およびコネクターの接続開口を位置させたことにより、制御ユニットへの配線の係脱と、制御ユニットの本体からの着脱の作業が、室内側から容易にできる。
【００２８】
また、コネクターをケース内に、その接続開口部が前記ケース外に突出するように納めて固定したことにより、コネクターと配線の接続の係脱作業が、さらに容易となる。
【００２９】
また、コネクターおよび電源端子への接続方向を下から上へ向かう方向としたことにより、コネクターおよび電源端子の接続作業が点検口を開けて室内からより容易に行えるとともに、電源端子が、電源電線の端部側に接続されて、電源電線の端部側より上方に位置することとなるので、万一雨水等が侵入しても、接続部の充電部に伝わっていくのを防止できる。
【００３０】
また、コネクターへの接続方向を下から斜め上方への方向としたことにより、コネクターへの接続作業性を維持したうえで、コネクターの占める寸法を抑えて、制御ユニットの本体からの水平方向および上下方向の突出を抑えることができる。
【００３１】
また、制御ユニットのケースの下面側に設けた固定部は、前記ケースに一体に設けられ本体の下方にねじ止めする固定ねじが挿通するだるま形状の固定用穴を有した固定片からなることにより、天井裏で制御ユニットが固定される作業で、仮固定したうえで本固定できるので、その作業が安定した状態でできることとなる。
【００３２】
また、制御ユニットを本体に挿入するときにケースと本体が係合する突部を設けたことにより、上記だるま形状の固定用穴に加えて、二重の仮固定状態となり、仮固定時の落下防止効果が大きくなる。
【００３３】
また、コネクターのケース外に突出する外部突出部とケースの下面との間にリブを設けたことにより、コネクターにおける接続作業性を高めるためにコネクターの接続開口部をケースから突出させても、設置作業時にコネクターを保護することができる。
【００３４】
また、電源端子を速結端子とし、その接続開口を含めてケース内に配設したことにより、人の手が触れるケースと充電部との絶縁距離が確保できるとともに、雨水等の水滴が付着するのを防止でき、対トラッキング性が向上する。
【００３５】
また、ケース下面の速結端子への電源電線挿入口から速結端子の接続開口に向けて電源の異極間の仕切り用リブを設けたことにより、対トラッキング性が向上し、絶縁距離が伸びて、安全性が向上する。
【００３６】
また、仕切り用リブを電源電線挿入口の下方に延設したことにより、対トラッキング性がさらに向上し、絶縁距離がさらに伸びて、安全性がより向上する。
【００３７】
また、制御ユニットのケースは、本体への装着時に上側となるケース上側と下側となるケース下側に分割され、ケース上側をケース下側の外側にオーバーラップさせて嵌合する構成としたことにより、安全性をさらに向上させることができる。
【００３８】
また、制御ユニットのケースを難燃樹脂材料にて形成したことにより、ケースは、絶縁性を確保したうえで、最適な形状にコンパクトに形成することができる。
【発明を実施するための最良の形態】
【００３９】
本発明の請求項１記載の換気装置は、入力電源用の電源端子を含む制御回路基板をケースで覆って形成した制御ユニットを本体に着脱自在に装着する換気装置であって、前記制御ユニットは、天井に設けた点検口の上方に設置された本体に下面から挿入して配設され、前記制御回路基板と送風機のモーターとを係脱自在に導通接続するコネクターを備えたものであり、制御ユニットはメンテナンス時に、本体から分離されてユニット化され、点検口を開けた範囲内で着脱でき、また、本体からはモーターとの導通接続をコネクターで分離することにより、容易に取り外すことができるので、その作業が容易に行えるという作用を有する。
【００４０】
また、請求項２記載の換気装置は、制御ユニットに、室内から運転を制御するリモコンと導通接続するコネクターを設けたものであり、室内から換気装置の運転を制御するリモコンを室内に配線して設置した場合も、制御ユニットを、その配線との接続をコネクターにおいて分離して容易に取り外すことができる。
【００４１】
また、請求項３記載の換気装置は、制御ユニットの本体内挿入時の向きを、制御回路基板の素子実装面の長辺側と素子の高さ側で決まるケースの面を前面側として挿入する向きとしたものであり、制御ユニットを本体内に挿入するために本体内に設ける空間は、水平方向の面積と高さをともに小さくできるものとなる。
【００４２】
また、請求項４記載の換気装置は、送風機をファンケーシングの吸気口が垂直方向を向くように水平に配設し、制御ユニットを本体の側面と前記ファンケーシングの舌片とで形成された空間に挿入して装着するとしたものであり、制御ユニットを本体内に挿入装着するのに、本体内の使用されていない空間を使用することができる。
【００４３】
また、請求項５記載の換気装置は、制御ユニットのケースの本体内挿入時における上端角部にＣ面を形成したものであり、制御ユニットの本体への挿入が、Ｃ面を形成して小さくなった天面を前面にして行われ、挿入がスムーズにできる。
【００４４】
また、請求項６記載の換気装置は、制御ユニットのケースの下面側に、前記制御ユニットを本体下面に下方から固定する固定部を設けるとともに、電源端子およびコネクターの接続開口を位置させたものであり、天井の点検口を開けて、下方から本体の下面で、電源端子およびコネクターでの導通接続の係脱をし、制御ユニットの着脱を行うことができる。
【００４５】
また、請求項７記載の換気装置は、コネクターをケース内に、その接続開口部が前記ケース外に突出するように納めて固定したものであり、ケース内に納められて安定した状態に固定されたコネクターと配線との接続の係脱が、ケースを開けずに行うことができる。
【００４６】
また、請求項８記載の換気装置は、コネクターおよび電源端子への接続方向を下から上へ向かう方向としたものであり、コネクターおよび電源端子の接続作業が、室内から上方に向いて容易に行うことができ、また、電源電線は上方に向いて電源端子に接続された状態となる。
【００４７】
また、請求項９記載の換気装置は、コネクターへの接続方向を下から斜め上方への方向としたものであり、コネクターと配線との接続作業が下方からできるとともに、コネクターの占める寸法を水平方向かつ上下方向において抑えることができる。
【００４８】
また、請求項１０記載の換気装置は、制御ユニットのケースの下面側に設けた固定部は、前記ケースに一体に設けられ本体の下方にねじ止めする固定ねじが挿通するだるま形状の固定用穴を有した固定片からなるとしたものであり、制御ユニットの本体下面への固定時に、ケースに設けられた固定片のだるま形状の固定穴の大径部から本体下面に仮止めした固定ねじを通して、小径部に固定ねじの頭部が係止するように移動させることによって、制御ユニットを仮固定することができる。
【００４９】
また、請求項１１記載の換気装置は、制御ユニットを本体に挿入するときにケースと本体が係合する突部を設けたものであり、制御ユニットを本体に挿入していくと、ケースと本体が突部によって係合し、仮固定された状態となる。
【００５０】
また、請求項１２記載の換気装置は、コネクターのケース外に突出する外部突出部と前記ケースの下面との間にリブを設けたものであり、本体の設置作業時に、本体を不用意に床面等に置いてコネクターの外部突出部に応力が加わっても、リブがコネクターの動きを阻止して保護することとなる。
【００５１】
また、請求項１３記載の換気装置は、電源端子を速結端子とし、その接続開口を含めてケース内に配設したものであり、入力電源の充電部がケース内に納められて、人の手が触れるケースの外表面と充電部との絶縁距離が確保されるとともに、雨水等の水滴が付着するのを防止できる。
【００５２】
また、請求項１４記載の換気装置は、ケース下面の速結端子への電源電線挿入口から前記速結端子の接続開口に向けて電源の異極間の仕切り用リブを設けたものであり、電源の異極間をつなぐように水が付着するのを阻止できるとともに、異極間の沿面距離が伸びる。
【００５３】
また、請求項１５記載の換気装置は、仕切り用リブを電源電線挿入口の下方に延設したものであり、万一、仕切り用リブに水滴が付着しても、ケース内に流れていかずに延設した仕切り用リブの下端部から下方に落下する。また、電源の異極間の沿面距離がさらに伸びる。
【００５４】
また、請求項１６記載の換気装置は、制御ユニットのケースは、本体への装着時に上側となるケース上側と下側となるケース下側に分割され、ケース上側をケース下側の外側にオーバーラップさせて嵌合する構成としたものであり、ケース内への水の浸入を阻止することができる。
【００５５】
また、請求項１７記載の換気装置は、制御ユニットのケースを難燃樹脂材料にて形成したものであり、ケースは、絶縁性を有するとともに、所望の形状に少ない構成要素で形成されたものとなるという作用を有する。
【００５６】
以下、本発明の実施の形態について、図１〜図６を参照しながら説明する。
【００５７】
（実施の形態１）
換気装置の本体１は天井に設けられた点検口（図示せず）の上方に設置され、前記点検口を開けて、本体１のメンテナンス等を行うことができる。
【００５８】
図１に示すように、本体１は、一側面に複数の吸込口２を有し、さらに対向する側面に吸込口２と排気口３を有し、吸込口２と排気口３はダクト（図示せず）を接続することによって、吸込口２は遠方の天井までダクトを伸ばして換気空間を拡大することができ、排気口３はダクトを介して、本体１内の送風機４により取り込んだ空気を室外空間へ排気することができる。さらに、複数の吸込口２を有する側面だけでなく排気口３を有する側面にも吸込口２を設けることによって、ダクトを天井裏に引き回す際に、ダクト長の短縮を図ることができ、また、複数の吸込口２の内、使用する口数に応じて最適なダクト施工を選択することができる。
【００５９】
送風機４は、本体１の下面に着脱自在に設けられ、ファン５とモーター６が板金７に固定されて構成され、板金７を本体１の下面へ固定することにより換気装置の送風機４としての機能をなしている。また、入力電源用の電源端子８と送風機４の運転の制御回路を備えた制御回路基板９をケース１０で覆い、送風機４のモーター６とを係脱自在に導通接続するコネクター１２Ａを備えた制御ユニット１１を、天井に設けた点検口の上方に設置された本体１に下面から挿入して配設している。
【００６０】
また、ボリュームを周方向に回すことによって、室内から送風機４の風量を連続的に可変することができるリモコン（図示せず）を備え、リモコンは、ケーブルを介して制御ユニット１１に設けられたコネクター１２Ｂと係脱自在に導通接続されている。
【００６１】
そして、図２に示すように、送風機４のファンケーシング１３の吸気口１４が、本体１設置時に下側および上側になる本体１の下面および上面に対して垂直方向となるようにファンケーシング１３を水平に設けることによって生じた本体１側面とファンケーシング１３の舌片１３ａとで形成された舌片空間１５に制御ユニット１１を本体１下面から挿入し、制御ユニット１１のケース１０の下面側を本体１下面の板金に本体１下方からねじ止め固定している。
【００６２】
その際、図３に示すように、制御ユニット１１のケース１０の下面側に設けた固定部１６は、ケース１０に一体に設けられ、そのうちの一個は本体１の下方の板金にねじ止めする固定ねじが挿通するだるま形状の固定用穴１７を有しており、制御ユニット１１を本体１へ取り付ける前にあらかじめ本体１下面の板金へねじを先端のみ取り付けておき、次に制御ユニット１１を舌片空間１５へ挿入し、固定用穴１７の大径の方からねじ頭を挿入し、スライドさせて固定用穴１７の小径の方へねじ頭を移動させることにより仮固定が可能となり、作業性が容易になり、その状態でねじを最後まで締め付けていけば、制御ユニット１１と本体１との固定が完了する。
【００６３】
また、制御ユニット１１に、本体１に挿入するときケース１０と舌片空間１５を形成する本体１側面が係合する突部１８を設け、挿入した際に自動的に係合できる構成とすることによって、仮固定の状態ができ、制御ユニット１１の取り付け性が良くなるとともに、ねじ等による本来の固定手段が機能しなくなった場合でも仮固定の状態を維持することができるため、制御ユニット１１の落下を防ぐことができる。
【００６４】
上記構成によって、設置後のメンテナンスにおいて、点検口を開けることによって本体１真下からメンテナンス作業を行うことができ、制御ユニット１１からモーター６とリモコンとに接続しているコネクター１２Ａ、１２Ｂから配線を取り外し、固定を解除することによって制御ユニット１１を容易に本体１から取り外すことができ、制御回路基板９の交換や制御ユニット１１の交換の作業性を向上させることができる。
【００６５】
また、制御ユニット１１の本体１内挿入時の向きを、図４に示す制御回路基板９の素子実装面の長辺Ｌ側と素子の高さ側で決まるケースの面を前面側として挿入する向きとすることによって、ファンケーシング１３の舌片空間１５を効率的に活用できると共に、制御回路基板９素子実装面の短辺Ｓ側が制御ユニット１１の本体１内へ挿入する高さとなるため、本体１内の風路空間を圧縮することなく、より本体１高さを抑えることができる。
【００６６】
また、図５に示すように、制御ユニット１１のケース１０の本体１内挿入時における上端で長辺Ｌ方向となる一辺にＣ面２１を形成することによって、本体１下面の舌片空間１５へ挿入する際、Ｃ面２１により制御ユニット１１の先端面積が小さくなるため、スムーズに挿入することができ、さらに、本体１内の風路空間において、Ｃ面２１があることにより、Ｃ面２１に対して風上側から流入した空気が風路内を流れる際、Ｃ面２１で徐変されるため空気がスムーズに流れることができる。
【００６７】
そして、制御ユニット１１とモーター６およびリモコンとの接続に使用するコネクター１２Ａおよび１２Ｂは、制御ユニット１１のケース１０に設けられた係止部２２によりケース１０と固定され、ケース１０を貫通して配線との接続開口２３をケース１０外に突出させ、接続開口２３の向きを本体１下面に対し下方を向く方向としている。これによって、ケース１０に安定した状態で固定されてケース１０と一体となったコネクター１２Ａ、１２Ｂと配線との接続の係脱が、ケース１０を開けることなく行うことができる。
【００６８】
また、設置状態において制御ユニット１１下面に位置するコネクター１２Ａ、１２Ｂの配線との接続方向を下から斜め上方への方向とし、つまり、コネクター１２Ａ、１２Ｂを制御ユニット１１下面に接続開口２３が斜め下方となるように固定することによって、コネクター１２Ａ、１２Ｂ接続部により本体１下面に突出するコネクター１２Ａ、１２Ｂの下方向への飛び出しを抑えることができ、本体高さを抑えることが可能であるとともに、コネクター１２Ａ、１２Ｂの接続開口２３が斜め下方を向くため、万一、雨水等の浸入により、水滴が配線を伝ってきても、コネクター１２Ａ、１２Ｂ接続部から内部の充電部へ浸入することを防ぐことができる。
【００６９】
また、コネクター１２Ａ、１２Ｂのケース１０外に突出する外部突出部２４とケース１０の下面との間にリブ２５を設けることによって、本体１の設置作業時に、本体１を不用意に床面等に置いて、コネクター１２Ａ、１２Ｂの外部突出部２４に応力が加わり、コネクター１２Ａ、１２Ｂとケース１０との固定部が破損することを防ぐ。
【００７０】
電源接続する手段として、ＶＶＦコードを本体の電源端子８へ接続して電源を投入する構成とし、図４に示すように、電源端子８を速結端子２６として、かつ、速結端子２６は制御回路基板９にはんだ付けにより固定されており、制御回路基板９をケース１０で覆って制御ユニット１１とする際、速結端子２６もケース１０内に入れて固定し、ケース１０内の速結端子２６の異極間となる接続穴の間をケース１０と一体となるリブ２７で仕切りを設け、リブ２７をケース１０外の方向へも延長させて、ＶＶＦコードを接続する際の異極間の仕切りリブ２８として形成させる。
【００７１】
上記構成により、速結端子２６が制御ユニット１１のケース１０内に存在するため、人の手が触れるケース１０の外表面と充電部との絶縁距離が十分確保されるとともに、雨水等の水滴が付着することを防ぐことができ、さらに、異極間に設けたリブ２７によって、異極間の沿面距離を大きくし、より水滴等により異極間が接続される状態を防ぎ、ケース１０外へ延長された仕切りリブ２８は本体１の設置状態において下方へと延びるため、水滴を制御ユニット１１外部へと導く効果としても機能する。
【００７２】
また、図６に示すように、制御ユニット１１のケース１０は、設置状態において上側となるケース上側１０ａと下側となるケース下側１０ｂに分割され、ケース上側１０ａをケース下側１０ｂの外側にオーバーラップさせて嵌合する構成とすることによって、水の侵入により制御ユニット１１上部から水が伝ってきた場合でも、ケース上側１０ａ、ケース下側１０ｂの繋ぎ目から内部へ水が浸入して充電部へ水滴が付着することを防ぐことができる。
【００７３】
なお、制御ユニット１１を構成するケース上側１０ａ、ケース下側１０ｂは難燃樹脂材料にて形成することによって、絶縁性を有すると共に、制御ユニット１１を所望の形状に少ない構成要素で形成することができ、また、形状形成に自由度が高いため、絶縁性を確保したうえで、最適な形状にコンパクトに形成することができる。
【産業上の利用可能性】
【００７４】
本発明は、天井に設けた点検口の上方に設置された本体の下面から挿入して着脱自在に取り付ける制御ユニットを備えることによって、メンテナンス時に着脱できて作業性の向上を図ることができ、天井裏に設置される空気調和機等に広く適用できる。
【図面の簡単な説明】
【００７５】
【図１】本発明の実施の形態１の換気装置を示す分解斜視図
【図２】同換気装置の下面図
【図３】同換気装置の制御ユニットを示す斜視図
【図４】同制御ユニットの正面図
【図５】同制御ユニットの他の方向からの斜視図
【図６】同制御ユニットのさらに他の方向からの斜視図
【符号の説明】
【００７６】
１      本体
２      吸込口
３      排気口
４      送風機
８      電源端子
９      制御回路基板
１０    ケース
１０ａ  ケース上側
１０ｂ  ケース下側
１１    制御ユニット
１２Ａ  コネクター
１２Ｂ  コネクター
１３    ファンケーシング
１３ａ  舌片
１４    吸気口
１５    舌片空間
１６    固定部
１７    固定用穴
１８    突部
２１    Ｃ面
２３    接続開口
２４    外部突出部
２５    リブ
２６    速結端子
２７    リブ
２８    仕切りリブ
Ｌ      長辺
Ｓ      短辺
【図１】
2010112621.tif 000003
【図２】
2010112621.tif 000004
【図３】
2010112621.tif 000005
【図４】
2010112621.tif 000006
【図５】
2010112621.tif 000007
【図６】
2010112621.tif 000008